(57)【特許請求の範囲】
【請求項１】
光源部と、
前記光源部を保持する光源保持部材と、
一方向に延びるように形成され、取付部材によって取付位置に取り付けられる被取付部材と、
光を反射する反射部材と、
前記反射部材を支持する支持部材と
を備え、
前記光源保持部材は、前記被取付部材の長手方向に沿って前記被取付部材に係合され、
前記被取付部材は、前記被取付部材の長手方向に沿って延びる溝部を有し、
前記反射部材は、前記溝部を覆う位置に配置され、
前記支持部材は、前記被取付部材と前記光源保持部材とで挟まれる、照明器具。
【請求項２】
前記被取付部材の長手方向の両端は、開口している、請求項１に記載の照明器具。
【請求項３】
前記光源保持部材は、板状であり、前記光源部を保持する主面と、前記主面の反対面とを有し、
前記反対面は、露出している、請求項１又は請求項２に記載の照明器具。
【請求項４】
前記被取付部材は、前記反対面よりも突出している、請求項３に記載の照明器具。
【請求項５】
一対の補強部材をさらに備え、
前記光源保持部材の一方端部は、前記被取付部材の長手方向の一方端部に並んで配置され、
前記光源保持部材の他方端部は、前記被取付部材の長手方向の他方端部に並んで配置され、
前記一対の補強部材のうちの一方は、前記被取付部材の前記一方端部及び前記光源保持部材の前記一方端部に固定され、
前記一対の補強部材のうちの他方は、前記被取付部材の前記他方端部及び前記光源保持部材の前記他方端部に固定される、請求項１から請求項４のいずれか１項に記載の照明器具。
【請求項６】
前記光源部を覆う位置に、前記被取付部材の長手方向に沿って配置され、光を拡散する拡散部材をさらに備え、
前記被取付部材の前記溝部の縁部は、折り曲げられている、請求項１から請求項５のいずれか１項に記載の照明器具。
【請求項７】
前記反射部材の断面は、略Ｖ字形状である、請求項１から請求項６のいずれか１項に記載の照明器具。
【請求項８】
前記光源部は、
発光素子と、
前記発光素子が実装される基板と
を含み、
前記基板は、前記光源保持部材に取り付けられる、請求項１から請求項７のいずれか１項に記載の照明器具。
【請求項９】
前記被取付部材の外部に配置され、前記光源部に電力を供給する電源部をさらに備える、請求項１から請求項８のいずれか１項に記載の照明器具。
【請求項１０】
前記電源部は、
電源回路と、
前記電源回路を収容するケースと
を含み、
前記ケースの折り曲げ部分には、ミシン目が形成されている、請求項９に記載の照明器具。
【請求項１１】
光源部と、
取付部材によって取付位置に取り付けられる被取付部材と、
前記被取付部材の外部に配置され、前記光源部に電力を供給する電源部と
を備え、
前記被取付部材は、前記被取付部材の長手方向に沿って延びる溝部を有し、
前記電源部は、
電源回路と、
前記電源回路を収容するケースと
を含み、
前記電源回路は、前記ケースの内面と前記被取付部材の外面とで囲まれている、照明器具。
【請求項１２】
前記被取付部材の長手方向の両端は、開口している、請求項１１に記載の照明器具。
【請求項１３】
前記ケースの折り曲げ部分には、ミシン目が形成されている、請求項１１又は請求項１２に記載の照明器具。
【発明の詳細な説明】
【技術分野】
【０００１】
本発明は、照明器具に関する。
【背景技術】
【０００２】
特許文献１に記載された照明器具は、光源、点灯装置、取付板、及び光源保持板を備える。光源はＬＥＤ（Ｌｉｇｈｔ  Ｅｍｉｔｔｉｎｇ  Ｄｉｏｄｅ）を含む。点灯装置は、商用電源の交流を直流に変換して光源に出力する点灯回路と、点灯回路を覆うケースとを有する。
【０００３】
取付板は、溝状の第１収納部、及び第１収納部を挟む一対の天板部を有する。取付板は、第１収納部及び一対の天板部が一体に設けられた金属板の成形体である。第１収納部は、天板部よりも上方に突出している。第１収納部には第１貫通孔が形成される。第１貫通孔から電源ケーブルが第１収納部の内部に引き込まれる。一対の天板部の各々には第２貫通孔が形成される。第２貫通孔には天井に取り付けられたボルトが通され、ボルトにナットが結合される。その結果、取付板が天井に取り付けられる。
【０００４】
光源保持板は、取付板の下面に重ね合わされる。光源保持板は、第２収納部、第２収納部を挟む一対の光源取付部、及び一対の光源取付部を挟む一対の反射板を有する。光源保持板は、第２収納部、一対の光源取付部、及び一対の反射板が一体に設けられた金属板の成形体である。
【先行技術文献】
【特許文献】
【０００５】
【特許文献１】特開２０１４−６７５０４号公報
【発明の概要】
【発明が解決しようとする課題】
【０００６】
しかしながら、特許文献１に記載された照明器具では、取付板を天井に取り付けると、照明器具の自重により、取付板が変形する場合がある。光源保持板は、取付板の下面に重ね合わされているため、取付板の変形によって、光源保持板が歪む場合がある。その結果、光源が、光源保持板から、浮いたり、剥離したりする可能性がある。
【０００７】
また、特許文献１に記載された照明器具では、点灯装置は、取付板の第１収納部に収納される。そして、第１収納部に引き込まれる電源ケーブル及び点灯装置は熱を発生し易い。従って、第１収納部には熱が籠り易く、照明器具１の放熱効果が低下する。加えて、点灯装置が、第１収納部での空気の流通を阻害し、照明器具の放熱効果をさらに低下させる。
【０００８】
本発明の目的は、光源保持部材の歪を抑制できる照明器具を提供することである。また、本発明の他の目的は、放熱効果を向上できる照明器具を提供することである。
【課題を解決するための手段】
【０００９】
本願に開示する一局面に係る照明器具は、光源部と、光源保持部材と、被取付部材とを備える。光源保持部材は、前記光源部を保持する。被取付部材は、一方向に延びるように形成され、取付部材によって取付位置に取り付けられる。前記光源保持部材は、前記被取付部材の長手方向に沿って前記被取付部材に係合される。
【００１０】
本願に開示する照明器具において、前記被取付部材の長手方向の両端は、開口していることが好ましい。
【００１１】
本願に開示する照明器具において、前記光源保持部材は、板状であり、前記光源部を保持する主面と、前記主面の反対面とを有することが好ましい。前記反対面は、露出していることが好ましい。
【００１２】
本願に開示する照明器具において、前記被取付部材は、前記反対面よりも突出していることが好ましい。
【００１３】
本願に開示する照明器具は、一対の補強部材をさらに備えることが好ましい。前記光源保持部材の一方端部は、前記被取付部材の長手方向の一方端部に並んで配置され、前記光源保持部材の他方端部は、前記被取付部材の長手方向の他方端部に並んで配置されることが好ましい。前記一対の補強部材のうちの一方は、前記被取付部材の前記一方端部及び前記光源保持部材の前記一方端部に固定され、前記一対の補強部材のうちの他方は、前記被取付部材の前記他方端部及び前記光源保持部材の前記他方端部に固定されることが好ましい。
【００１４】
本願に開示する照明器具は、拡散部材をさらに備えることが好ましい。拡散部材は、前記光源部を覆う位置に、前記被取付部材の長手方向に沿って配置され、光を拡散することが好ましい。前記被取付部材は、前記被取付部材の長手方向に沿って延びる溝部を有することが好ましい。前記被取付部材の前記溝部の縁部は、折り曲げられていることが好ましい。
【００１５】
本願に開示する照明器具は、光を反射する反射部材と、前記反射部材を支持する支持部材とをさらに備えることが好ましい。前記被取付部材は、前記被取付部材の長手方向に沿って延びる溝部を有することが好ましい。前記反射部材は、前記溝部を覆う位置に配置され、前記支持部材は、前記被取付部材と前記光源保持部材とで挟まれることが好ましい。
【００１６】
本願に開示する照明器具において、前記反射部材の断面は、略Ｖ字形状であることが好ましい。
【００１７】
本願に開示する照明器具において、前記光源部は、発光素子と、前記発光素子が実装される基板とを含むことが好ましい。前記基板は、前記光源保持部材に取り付けられることが好ましい。
【００１８】
本願に開示する照明器具は、電源部をさらに備えることが好ましい。電源部は、前記被取付部材の外部に配置され、前記光源部に電力を供給することが好ましい。
【００１９】
本願に開示する照明器具において、前記電源部は、電源回路と、前記電源回路を収容するケースとを含むことが好ましい。前記ケースの折り曲げ部分には、ミシン目が形成されていることが好ましい。
【００２０】
本願に開示する他の局面に係る照明器具は、光源部と、被取付部材と、電源部とを備える。被取付部材は、取付部材によって取付位置に取り付けられる。電源部は、前記被取付部材の外部に配置され、前記光源部に電力を供給する。前記被取付部材は、前記被取付部材の長手方向に沿って延びる溝部を有する。
【００２１】
本願に開示する照明器具において、前記被取付部材の長手方向の両端は、開口している。
【００２２】
本願に開示する照明器具において、前記電源部は、電源回路と、前記電源回路を収容するケースとを含むことが好ましい。前記ケースの折り曲げ部分には、ミシン目が形成されていることが好ましい。
【００２３】
本願に開示する照明器具において、前記電源部は、電源回路と、前記電源回路を収容するケースとを含むことが好ましい。前記電源回路は、前記ケースの内面と前記被取付部材の外面とで囲まれていることが好ましい。
【発明の効果】
【００２４】
本発明によれば、光源保持部材の歪を抑制できる。また、本発明によれば、照明器具の放熱効果を向上できる。
【図面の簡単な説明】
【００２５】
【図１】本発明の実施形態に係る照明器具の正面側を示す斜視図である。
【図２】本発明の実施形態に係る照明器具の背面側を示す斜視図である。
【図３】本発明の実施形態に係る照明器具を示す側面図である。
【図４】本発明の実施形態に係る反射部材及び拡散部材を取り外した照明器具を示す斜視図である。
【図５】本発明の実施形態に係る照明器具の背面側を示す分解斜視図である。
【図６】本発明の実施形態に係る照明器具の反射部材及び被取付部材を示す斜視図である。
【図７】本発明の実施形態に係る照明器具の電源部を示す分解斜視図である。
【発明を実施するための形態】
【００２６】
以下、本発明の実施形態について、図面を参照しながら説明する。なお、図中、同一又は相当部分については同一の参照符号を付して説明を繰り返さない。本発明の実施形態において、Ｘ軸、Ｙ軸、及びＺ軸は互いに直交し、Ｘ軸及びＹ軸は水平面に平行であり、Ｚ軸は鉛直線に平行である。
【００２７】
図１は、本発明の実施形態に係る照明器具１の正面側を示す斜視図である。照明器具１の正面は、照明器具１が光を出射する側である。照明器具１は、光を反射する第１反射部材５（反射部材）、光を拡散する一対の平板状の拡散部材７、光を反射する一対の板状の第２反射部材９、溝部１５を有する被取付部材１０、一対の板状の第１補強部材１１（補強部材）、一対の板状の第２補強部材１３、複数のビス１７、複数のビス１９、及び光を出射する一対の光源部２３を備える。
【００２８】
第１反射部材５は、光源部２３が出射して拡散部材７が拡散した光を反射する。第１反射部材５は、被取付部材１０の長手方向に沿って延びており、被取付部材１０の溝部１５を覆う位置に配置される。被取付部材１０の長手方向はＸ軸に略平行である。第１反射部材５の断面は略Ｖ字形状（Ｖ字形状を含む。）である。従って、略Ｖ字形状の角度を変更することによって、光源部２３が出射する光の照射角度を変更できる。また、第１反射部材５は、断面を略Ｖ字形状としたことにより平板形状の反射部材に比べて体積を大きくすることができるため、蓄熱量を多くすることができ、高い放熱性を確保できる。
【００２９】
第１反射部材５は、断面が略Ｖ字形状であるため２つの光反射面を有する。２つの光反射面のうち一方の光反射面は、一方の拡散部材７に隣接するとともに、当該一方の拡散部材７の光出射面に対して傾斜している。２つの光反射面のうち他方の光反射面は、他方の拡散部材７に隣接するとともに、当該他方の拡散部材７の光出射面に対して傾斜している。一方の光反射面と一方の光出射面とでなす角度と、他方の光反射面と他方の光出射面とでなす角度は、略同一である。
【００３０】
第１反射部材５は、拡散部材７の光出射面に対してＺ軸方向における下方へ突出している。第１反射部材５は、断面を略Ｖ字形状としたことで平板形状の反射部材に比べて表面積が大きくなり、かつ拡散部材７の光出射面からＺ軸方向における下方へ突出させたことにより照明器具１の正面側への露出量を大きくできるため、高い放熱性を確保できる。
【００３１】
第１反射部材５は、光源部２３から出射される光を効率良く反射するために、少なくとも光反射面が白色塗装などの反射加工が施されていることが好ましい。第１反射部材５は、照明器具１の放熱性を考慮し、伝熱性が高い材料で形成されていることが好ましく、例えば金属で形成されていることが好ましい。金属の中でも、成形加工の容易性や照明器具１の軽量化を考慮し、例えばアルミニウムまたはアルミニウム合金で形成されていることが好ましい。
【００３２】
一対の拡散部材７は第１反射部材５の一対の長辺にそれぞれ隣接する位置に配置される。一対の拡散部材７は、光出射面が同一平面上に位置するように配置される。拡散部材７は、光源部２３を覆う位置に、被取付部材１０の長手方向に沿って配置される。一対の拡散部材７は、光出射面の形状及びサイズが互いに略同一である。拡散部材７は、光源部２３が出射した光を拡散する。拡散部材７は、例えば、光拡散材料を混ぜた樹脂を板状に成形することにより形成される。拡散部材７は、例えば、透明の板状部材の光出射面または光入射面に微小な凹凸を設けることにより形成される。
【００３３】
一対の第２反射部材９のうち一方の第２反射部材９が一対の拡散部材７のうち一方の拡散部材７の長辺に隣接する位置に配置され、他方の第２反射部材９が他方の拡散部材７の長辺に隣接する位置に配置される。第２反射部材９は、光反射面を有し、拡散部材７の端縁から下方に突出するとともに、光反射面が拡散部材７の光出射面に対して傾斜している。一対の第２反射部材９は、互いに相反する方向へ傾斜しているとともに、拡散部材７の光出射面に対する光反射面の傾斜角度は互いに略同一である。
【００３４】
拡散部材７の端縁は被取付部材１０の長手方向に沿っている。第２反射部材９は、光源部２３が出射して拡散部材７が拡散した光を反射する。第２反射部材９は、光源部２３から出射される光を効率良く反射するために、少なくとも光反射面が白色塗装などの反射加工が施されていることが好ましい。第２反射部材９は、照明器具１の放熱性を考慮し、伝熱性が高い材料で形成されていることが好ましく、例えば金属で形成されていることが好ましい。金属の中でも、成形加工の容易性や照明器具１の軽量化を考慮し、例えばアルミニウムまたはアルミニウム合金で形成されていることが好ましい。
【００３５】
図２〜図４を参照して、被取付部材１０について説明する。図２は、照明器具１の背面側を示す斜視図である。被取付部材１０は、照明器具１の中心線ＣＬ上に配置され、一方向に延びるように形成される。本実施形態では、被取付部材１０は、Ｘ軸に沿って延びるように形成される。被取付部材１０の長手方向の両端は開口している。被取付部材１０は、被取付部材１０の長手方向に沿って延びる溝部１５を有する。被取付部材１０の断面はコ字状である。
【００３６】
被取付部材１０は、断面をコ字状としたことにより平板形状の被取付部材に比べて体積を大きくすることができるため、蓄熱量を多くすることができ、高い放熱性を確保できる。被取付部材１０は、断面をコ字状としたことで平板形状の被取付部材に比べて表面積が大きくなるため、高い放熱性を確保できる。被取付部材１０は、照明器具１の放熱性を考慮し、伝熱性が高い材料で形成されていることが好ましく、例えば金属で形成されていることが好ましい。金属の中でも、成形加工の容易性や照明器具１の軽量化を考慮し、例えばアルミニウムまたはアルミニウム合金で形成されていることが好ましい。なお、被取付部材１０の断面は、コ字状に限定されず、任意の形状をとり得る。
【００３７】
被取付部材１０は、被取付部１５ａ、側壁部１５ｂ、及び側壁部１５ｃを有する。被取付部１５ａ、側壁部１５ｂ、及び側壁部１５ｃは、被取付部材１０の長手方向に沿って延びており、溝部１５を形成する。被取付部１５ａには円形の穴３ａ及びダルマ穴３ｂが形成される。穴３ａは、被取付部１５ａを貫通し、被取付部１５ａの略中央に位置する。ダルマ穴３ｂは、被取付部１５ａを貫通し、穴３ａと被取付部材１０の長手方向の一方端との間に位置する。側壁部１５ｂには貫通孔３ｇが形成される。
【００３８】
図３は、照明器具１を示す側面図である。被取付部材１０は、取付部材４５によって建造物の取付位置に取り付けられる。取付部材４５は、取付位置に配置され、ボルト４５ａ及びナット４５ｂを含む。ボルト４５ａは、建造物に固定されており、鉛直線に沿って延びる。ボルト４５ａは、被取付部材１０のダルマ穴３ｂ（図２）に挿入される。そして、ナット４５ｂが、溝部１５の内部からボルト４５ａに結合される。その結果、被取付部材１０が建造物の取付位置に取り付けられ、照明器具１が取付部材４５に吊り下げられる。本実施形態では、照明器具１が建造物の天井としてのボードＲＢに形成された取付穴ＲＨに配置されるように、被取付部材１０が建造物の取付位置に取り付けられる。
【００３９】
図４は、第１反射部材５及び拡散部材７を取り外した照明器具１を示す斜視図である。被取付部材１０の側壁部１５ｃには貫通孔３ｃ及び貫通部３ｄが形成される。溝部１５は一対の縁部１５ｄを有する。縁部１５ｄは被取付部材１０の長手方向に沿っている。縁部１５ｄは折り曲げられている。本実施形態では、縁部１５ｄはヘミング処理（１８０度折り返す曲げ加工）されている。従って、拡散部材７（図１）が縁部１５ｄの接触によって損傷することを抑制できると伴に、被取付部材１０の剛性及び強度を向上できる。縁部１５ｄは被取付部材１０の長手方向に沿っている。なお、縁部１５ｄは、ヘミング処理に限らず、少なくとも拡散部材７に損傷を与えることを抑制できる曲げ加工であればよい。
【００４０】
さらに、図４を参照して、照明器具１の他の構成要素について説明する。照明器具１は、一対の光源部２３に加えて、一対の光源保持部材２４、４個の支持部材２７、端子台２９、及び複数のビス３０をさらに備える。
【００４１】
光源部２３の各々は、光を出射する複数の発光素子２３ａ、及び矩形状でかつ平板状の基板２３ｂを含む。本実施形態では、発光素子２３ａはＬＥＤである。基板２３ｂの各々の実装面には複数の発光素子２３ａが実装される。複数の発光素子２３ａは、各基板２３ｂ上で、被取付部材１０の長手方向に沿って２列に配列される。なお、発光素子２３ａの配列数は一例である。
【００４２】
光源保持部材２４の各々は光源部２３を保持する。光源保持部材２４の各々は、板状であり、光源部２３を保持する主面２２Ａ、及び主面２２Ａの反対面２２Ｂ（図２）を有する。主面２２Ａは、略水平な取付面２４ａ、傾斜面２４ｂ、及び傾斜面２４ｃを有する。基板２３ｂの実装面の反対面は、取付面２４ａに接しているか、微小隙間または放熱材を挟んで取付面２４ａに対向している。これにより、光源部２３が発した熱は、光源保持部材２４へ伝わり、光源部２３の異常な温度上昇を抑えることができる。
【００４３】
光源保持部材２４は、光源部２３から出射される光を効率良く反射するために、少なくとも主面２２Ａが白色塗装などの反射加工が施されていることが好ましい。光源保持部材２４は、光源部２３の放熱性を考慮し、伝熱性が高い材料で形成されていることが好ましく、例えば金属で形成されていることが好ましい。金属の中でも、成形加工の容易性や照明器具１の軽量化を考慮し、例えばアルミニウムまたはアルミニウム合金で形成されていることが好ましい。
【００４４】
取付面２４ａには、複数のビス２５によって光源部２３の基板２３ｂが取り付けられる。つまり、基板２３ｂは光源保持部材２４に取り付けられる。本実施形態に係る照明器具１は、発光素子２３ａ及び基板２３ｂを収容するケースを設けていないため、部品点数を削減できる。その結果、コストを低減できると伴に、照明器具１の組立工数を削減できる。また、光源部２３の放熱効果を向上できる。
【００４５】
傾斜面２４ｂと傾斜面２４ｃとは、取付面２４ａに対してＹ軸方向に隣接する位置で、かつ取付面２４ａを挟む位置に形成される。傾斜面２４ｂは、取付面２４ａの両縁のうちの一方から下方に突出し、取付面２４ａに対して傾斜している。傾斜面２４ｃは、取付面２４ａの両縁のうちの他方から下方に突出し、取付面２４ａに対して傾斜している。取付面２４ａの両縁は被取付部材１０の長手方向に沿っている。傾斜面２４ｂ及び傾斜面２４ｃは、発光素子２３ａが出射する光を反射する。側壁部１５ｂに当接する光源保持部材２４の傾斜面２４ｃには、貫通孔３ｆが形成される。側壁部１５ｃに当接する光源保持部材２４の傾斜面２４ｃには、貫通孔３ｅが形成される。
【００４６】
図５を参照して、被取付部材１０との関係で光源保持部材２４について説明する。図５は、照明器具１の背面側を示す分解斜視図である。一対の光源保持部材２４は、被取付部材１０を挟む位置に配置される。そして、光源保持部材２４は、被取付部材１０の長手方向に沿って被取付部材１０に係合される。つまり、照明器具１は、光源保持部材２４が被取付部材１０に係合されることにより構成され、光源保持部材２４と被取付部材１０とは別部材である。また、光源保持部材２４と被取付部材１０とは、互いに僅かな変位が可能なように裕度を持って係合している。
【００４７】
従って、たとえ照明器具１の自重に起因する被取付部材１０の変形が生じたとしても、光源保持部材２４に及ぼす影響は、光源保持部材と被取付部材とが一体に形成される場合と比較して小さい。つまり、光源保持部材２４と被取付部材１０とが別部材で構成されていることにより、たとえ被取付部材１０が変形したとしてもその変形によるエネルギーが光源保持部材２４に伝わり難い。その結果、被取付部材１０の変形によって光源保持部材２４が歪むことを抑制できる。加えて、光源保持部材２４は被取付部材１０の長手方向に沿って係合されるため、光源保持部材が被取付部材の下面に重ね合わされる場合と比較して、光源保持部材２４と被取付部材１０との接触部分が少ない。従って、たとえ被取付部材１０の変形が生じたとしても、光源保持部材２４が歪むことをさらに抑制できる。
【００４８】
本実施形態によれば、光源保持部材２４が歪むことを抑制できるため、光源部２３が、光源保持部材２４から、浮いたり、剥離したりすることを抑制できる。
【００４９】
図５及び図６を参照して、照明器具１の構造の詳細を説明する。まず、図６を参照して、第１反射部材５及び被取付部材１０の構造及び結合について説明する。図６は、第１反射部材５及び被取付部材１０を示す斜視図である。図６では、図面の簡略化のため、第１反射部材５の一方端部及び被取付部材１０の一方端部が示される。第１反射部材５の他方端部及び被取付部材１０の他方端部の構造は、それぞれ、第１反射部材５の一方端部及び被取付部材１０の一方端部の構造と同様であり、説明を省略する。
【００５０】
第１反射部材５は、反射部５ａ、一対の側壁部５ｂ、及び一対の平坦部５ｃを有する。反射部５ａの断面は、下方に向かって突出する略Ｖ字形状（Ｖ字形状を含む。）である。一対の側壁部５ｂは、反射部５ａの両縁から側壁部１５ｂ及び側壁部１５ｃに沿うようにＺ軸方向における上方に延びる。反射部５ａの両縁は被取付部材１０の長手方向に沿っている。各側壁部５ｂの長手方向の端部には挿入孔５７が形成される。平坦部５ｃは、略水平であり、側壁部５ｂの上縁から、第１反射部材５の内側に向かって突出する。
【００５１】
被取付部材１０の側壁部１５ｂ及び側壁部１５ｃの各々の長手方向の端部には、係合孔４７ａ、挿入孔４７ｂ、挿入孔４７ｃ、及び挿入孔４７ｄが形成される。一方、支持部材２７は、爪部２７ａ、平坦なストッパー２７ｂ、平坦な支持部２７ｃ、及び平坦なストッパー２７ｄを有する。支持部材２７は、次のようにして、第１反射部材５を支持する。
【００５２】
すなわち、第１反射部材５は、挿入孔５７が挿入孔４７ｃに重なるように、被取付部材１０の溝部１５に嵌合される。そして、支持部材２７の爪部２７ａは係合孔４７ａに係合され、ストッパー２７ｂは挿入孔４７ｂに挿入され、支持部２７ｃは挿入孔４７ｃ及び挿入孔５７に挿入され、ストッパー２７ｄは挿入孔４７ｄに挿入される。その結果、対向する２個の支持部材２７は、それぞれ、側壁部１５ｂ及び側壁部１５ｃに装着される。そして、第１反射部材５は、支持部２７ｃによって支持され、被取付部材１０に装着される。また、ストッパー２７ｂ及びストッパー２７ｄは、第１反射部材５の平坦部５ｃに当接し、第１反射部材５の上限位置を規定する。
【００５３】
次に、図５を参照して、第２反射部材９、被取付部材１０、及び光源保持部材２４の構造について説明する。以下、第２反射部材９、被取付部材１０、及び光源保持部材２４のそれぞれの一方端部について説明し、これらと同様の構成である第２反射部材９、被取付部材１０、及び光源保持部材２４のそれぞれの他方端部については説明を省略する。
【００５４】
被取付部材１０の側壁部１５ｂ及び側壁部１５ｃの各々の長手方向の端部には、係合孔４９が形成される。側壁部１５ｂの係合孔４９は、側壁部１５ｂの挿入孔４７ｂと側壁部１５ｂの端との間に位置する。側壁部１５ｃの係合孔４９についても同様である。また、側壁部１５ｂ及び側壁部１５ｃの各々の端には、平坦な当接部５３が形成される。側壁部１５ｂの当接部５３は、側壁部１５ｂの端から、被取付部材１０の内側に向かって突出する。側壁部１５ｃの当接部５３についても同様である。
【００５５】
各光源保持部材２４は、平坦な当接部７０、平坦な当接部７１、一対の爪部５１、及び一対の平坦な当接部５５を有する。側壁部１５ｂと並んだ光源保持部材２４の当接部７０は、傾斜面２４ｃの側壁部１５ｂ側の縁から側壁部１５ｂに沿うように上方に延びている。側壁部１５ｃと並んだ光源保持部材２４の当接部７０についても同様である。当接部７０の端には爪部５１が形成される。当接部７１は、傾斜面２４ｂの第２反射部材９側の縁から当接部７０と略平行になるように上方に延びている。当接部７１の端には当接部５５が形成される。
【００５６】
各第２反射部材９は、平坦な当接部７２、引掛部７３、及び一対の平坦な当接部７４を有する。当接部７２は、第２反射部材９の光源保持部材２４側の縁から当接部７１と略平行になるように上方に延びている。引掛部７３は、当接部７２の上縁から光源保持部材２４に向かって延びている。当接部７４は、第２反射部材９の端に形成され、第２補強部材１３と対向する。
【００５７】
次に、図５及び図６を参照して、被取付部材１０及び光源保持部材２４の結合について説明する。各光源保持部材２４の一方端部は、被取付部材１０の長手方向の一方端部に並んで配置される。各光源保持部材２４の他方端部は、被取付部材１０の長手方向の他方端部に並んで配置される。
【００５８】
第１反射部材５が溝部１５に嵌合され支持部材２７に支持された状態で、一方の光源保持部材２４の一対の爪部５１が側壁部１５ｂの一対の係合孔４９に係合される。その結果、一対の支持部材２７は、当接部７０と側壁部１５ｂとで挟まれ、脱落不能に保持される。同様に、他方の光源保持部材２４の一対の爪部５１が側壁部１５ｃの一対の係合孔４９に係合される。その結果、一対の支持部材２７は、当接部７０と側壁部１５ｃとで挟まれ、脱落不能に保持される。
【００５９】
そして、一方の第１補強部材１１が、被取付部材１０の一方端部及び各光源保持部材２４の一方端部に当接される。さらに、ビス１７が第１補強部材１１を貫通して被取付部材１０の当接部５３に捻じ込まれ、ビス１７が第１補強部材１１を貫通して光源保持部材２４の当接部５５に捻じ込まれる。その結果、一方の第１補強部材１１が、被取付部材１０の一方端部及び各光源保持部材２４の一方端部に固定される。同様にして、他方の第１補強部材１１が、被取付部材１０の他方端部及び各光源保持部材２４の他方端部に固定される。被取付部材１０及び各光源保持部材２４は、一対の第１補強部材１１によって補強される。その結果、照明器具１の剛性及び強度が向上する。
【００６０】
次に、図５を参照して、第２反射部材９と光源保持部材２４との結合について説明する。一対の第１補強部材１１が被取付部材１０及び一対の光源保持部材２４に固定された状態で、一方の第２反射部材９の当接部７２が一方の光源保持部材２４の当接部７１に当接され、引掛部７３が当接部７１の上縁に引っ掛けられる。他方の第２反射部材９及び他方の光源保持部材２４についても同様である。
【００６１】
そして、一方の第２補強部材１３が、一方の第１補強部材１１及び各第２反射部材９の一方端部に当接される。さらに、ビス１９が第２補強部材１３を貫通して第１補強部材１１に捻じ込まれ、ビス１９が第２補強部材１３を貫通して第２反射部材９の当接部７４に捻じ込まれる。その結果、一方の第２補強部材１３が、一方の第１補強部材１１及び各第２反射部材９の一方端部に固定される。同様にして、他方の第２補強部材１３が、他方の第１補強部材１１及び各第２反射部材９の他方端部に固定される。一対の第２反射部材９は、一対の第２補強部材１３によって補強される。その結果、照明器具１の剛性及び強度がさらに向上する。
【００６２】
以上、図１〜図６を参照して説明したように、本実施形態によれば、照明器具１は、光源保持部材２４が被取付部材１０に係合されることにより構成され、光源保持部材２４と被取付部材１０とは別部材である。従って、たとえ被取付部材１０が変形したとしても、光源保持部材２４が歪むことを抑制できる。
【００６３】
また、図２に示すように、本実施形態によれば、光源保持部材２４の反対面２２Ｂは露出している。つまり、照明器具１の背面側は、ケース等によって覆われていない。従って、照明器具１のコストの低減、照明器具１の軽量化、照明器具１の組立工数の削減、及び照明器具１の放熱効果の向上を実現できる。特に、発光素子２３ａ（図４）の放熱効果を向上できる。
【００６４】
さらに、図３に示すように、本実施形態によれば、被取付部材１０は光源保持部材２４の反対面２２Ｂよりも突出している。つまり、被取付部材１０は反対面２２Ｂよりもボルト４５ａ側に突出している。従って、建造物に照明器具１を取り付ける際に、取付作業者がダルマ穴３ｂ（図２）の位置を容易に把握することができ、ダルマ穴３ｂにボルト４５ａを容易に挿入できる。
【００６５】
さらに、図５に示すように、本実施形態によれば、支持部材２７は光源保持部材２４と被取付部材１０とで挟まれ、脱落不能に保持される。従って、支持部材２７を脱落不能に保持するための専用の部材及び構造が不要である。その結果、照明器具１のコストを低減できると伴に組立ての簡略化を図ることができる。
【００６６】
図２、図３、及び図７を参照して、照明器具１の電源部４１について説明する。図２に示すように、照明器具１は、光源部２３に電力を供給する電源部４１、複数の固定部材４３、及び複数のビス４４をさらに備える。電源部４１は、複数のビス４４によって、被取付部材１０に固定される。
【００６７】
電源部４１は、被取付部材１０に沿って、被取付部材１０の外部に配置される。本実施形態では、電源部４１は、被取付部材１０の側壁部１５ｃに沿って、被取付部材１０の外部に配置される。
【００６８】
従って、本実施形態によれば、被取付部材の溝部に電源部を配置する場合と比較して、溝部１５において空気の流通を阻害する部材又は要素を少なくできる。その結果、溝部１５による放熱効果、ひいては、照明器具１の放熱効果を向上できる。
【００６９】
図３に示すように、電源部４１は、ケース４１ａ、電源回路４１ｂ、及び基板４１ｃを含む。図３では、図面の簡略化のため、電源回路４１ｂを模式的に示している。電源回路４１ｂは、基板４１ｃに実装され、外部電源電圧（交流電圧）に基づいて内部電源電圧（直流電圧）を生成し、内部電源電圧を光源部２３に供給する。ケース４１ａは、電源回路４１ｂ及び基板４１ｃを収容する。電源回路４１ｂ及び基板４１ｃは、ケース４１ａの内面と被取付部材１０の外面とで囲まれている。本実施形態では、電源回路４１ｂ及び基板４１ｃは、ケース４１ａの内面と被取付部材１０の側壁部１５ｃの外面とで囲まれている。被取付部材１０及びケース４１ａの各々は、本実施形態においては金属製である。従って、電源回路４１ｂ及び基板４１ｃは、本実施形態においては金属で囲まれる。
【００７０】
図７を参照して、電源部４１の組立手順及び取付手順を説明する。図７は、電源部４１を示す分解斜視図である。第１手順において、ケース４１ａが用意される。ケース４１ａは蓋部６０を有する。蓋部６０の先端縁の両端部には、一対の爪部６１が形成される。ケース４１ａの折り曲げ部分、つまり、蓋部６０の基端縁には、直線状にミシン目５９が形成されている。ミシン目５９は、直線状に一定間隔で形成される複数の細長い孔５９ａを有する。ミシン目５９を形成しているため、ケース４１ａは金属製であるが、蓋部６０を弱い力で折り曲げることができる。つまり、ケース４１ａの曲げ加工が容易である。
【００７１】
第２手順において、電源回路４１ｂが基板４１ｃに実装される。図７では、図面の簡略化のため、電源回路４１ｂを模式的に示している。第１手順と第２手順との順番は逆でもよい。
【００７２】
第３手順において、複数の固定部材４３（図２）によって、電源回路４１ｂの実装された基板４１ｃがケース４１ａの内部上面（図３）に取り付けられる（矢印Ａ１参照）。その結果、基板４１ｃの裏面がケース４１ａの内部上面に対向し、電源回路４１ｂは下方を向く。
【００７３】
第４手順において、蓋部６０がミシン目５９に沿って約９０度折り曲げられ、ケース４１ａは直方体状になる（矢印Ａ２参照）。その結果、電源回路４１ｂ及び基板４１ｃは、ケース４１ａに内包される。図７では、折り曲げられた蓋部６０が二点鎖線で示される。蓋部６０の折り曲げられたケース４１ａの６面のうちの１面は開口している。ケース４１ａの開口は、被取付部材１０の側壁部１５ｃの外面に対向する。第１手順〜第４手順によって、電源部４１が組み立てられた。
【００７４】
第５手順において、ケース４１ａの一対の爪部６１が、被取付部材１０の側壁部１５ｃに形成された一対の係合孔６３に係合される（矢印Ａ３参照）。そして、ケース４１ａの開口は側壁部１５ｃの外面で塞がれる。その結果、電源回路４１ｂ及び基板４１ｃは、側壁部１５ｃの外面及びケース４１ａの内面によって包囲される。
【００７５】
第６手順において、ケース４１ａは、複数のビス４４（図２）によって、被取付部材１０に固定される。その結果、電源部４１は、被取付部材１０の側壁部１５ｃに沿って被取付部材１０の外部に配置される。第５手順及び第６手順によって、電源部４１が被取付部材１０に取り付けられた。
【００７６】
図４を参照して、電源部４１に接続される配線について説明する。被取付部材１０の被取付部１５ａの内面には、端子台２９が取り付けられる。端子台２９は、穴３ａの近傍に位置する。穴３ａから引き込まれたケーブル３３は端子台２９に接続される。端子台２９に接続されるケーブル３１は、貫通部３ｄに挿入され、被取付部材１０の背面側へ引き回された後、電源部４１（図２）に接続される。従って、外部電源電圧は、ケーブル３３、端子台２９、及びケーブル３１を介して、電源部４１に供給される。貫通部３ｄは、ケーブル３１をクランプする。電源部４１は、外部電源電圧に基づいて内部電源電圧を生成する。
【００７７】
電源部４１から延びるケーブル３７は、貫通孔３ｅから引き出され、一対の光源部２３のうちの一方に接続される。従って、光源部２３には、電源部４１から内部電源電圧が供給される。電源部４１から延びるケーブル３５は、貫通孔３ｃから引き出され、貫通孔３ｇ（図２）を通って、貫通孔３ｆから引き出され、一対の光源部２３のうちの他方に接続される。従って、光源部２３には、電源部４１から内部電源電圧が供給される。
【００７８】
以上、図２、図３、及び図７を参照して、本実施形態に係る照明器具１の電源部４１について説明した。以下に示すように、照明器具１は、電源部４１に関する効果を奏する。
【００７９】
本実施形態によれば、電源部４１が被取付部材１０の外部に配置されるため、溝部１５における空気流通が良くなり溝部１５による放熱効果を向上でき、ひいては、照明器具１の放熱効果を向上できる。特に、外部電源電圧が供給されるケーブル３１及びケーブル３３は熱を発生し易いが、溝部１５による放熱効果を向上させることにより、溝部１５に配置されるケーブル３１及びケーブル３３が発生した熱を効果的に拡散できる。また、被取付部材１０の側壁部１５ｂ及び側壁部１５ｃの存在により、ケーブル３１及びケーブル３３から発生した熱は、側壁部１５ｂ及び側壁部１５ｃに蓄積及び発散され、光源部２３に伝達され難い。その結果、光源部２３の温度上昇を抑制できる。さらに、電源部４１が被取付部材１０の外部に露出しているため、電源部４１が発生する熱が照明器具１の内部に籠ることを抑制できる。その結果、照明器具１の放熱効果をさらに向上できる。
【００８０】
また、本実施形態によれば、被取付部材１０の長手方向の両端が開口している。従って、両端が開口していない場合と比較して、被取付部材１０内の空気の流通が向上し、溝部１５による放熱効果を一層向上でき、ひいては、照明器具１の放熱効果を一層向上できる。また、両端が開口していない場合と比較して、被取付部材１０の材料が少なくなる。その結果、照明器具１のコストを低減できると伴に、照明器具１の軽量化を実現できる。
【００８１】
さらに、本実施形態によれば、電源部４１が被取付部材１０の外部に配置されるため、電源部を被取付部材の溝部に配置する場合と比較して、被取付部材１０の短手方向の幅を小さくできる。その結果、被取付部材１０の剛性及び強度を向上でき、ひいては、照明器具１の剛性及び強度を向上できる。
【００８２】
さらに、本実施形態によれば、電源回路４１ｂ及び基板４１ｃは、金属製の被取付部材１０と金属製のケース４１ａとで囲まれている。従って、ケースのみによって電源回路及び基板を囲む場合と比較して、ケース４１ａの材料を少なくできる。その結果、照明器具１のコストを低減できると伴に、ケース４１ａの加工工程を少なくできる。
【００８３】
以上、電源部４１に関する効果を説明した。電源部４１が被取付部材１０の外部に配置される限り、光源保持部材と被取付部材とが一体に形成されている場合でも、電源部４１に関する効果を奏することができる。従って、電源部４１に関する効果を奏するために、光源保持部材と被取付部材とが別部材であることは要求されない。
【００８４】
逆に、図５を参照して説明したように、光源保持部材２４と被取付部材１０とが別部材である限り、電源部が被取付部材の外部に配置されていない場合でも、光源保持部材２４の歪を抑制する効果を奏することができる。従って、光源保持部材２４の歪を抑制する効果を奏するために、電源部が被取付部材の外部に配置されることは要求されない。また、光源保持部材２４と被取付部材１０とが別部材である場合、ケーブル３１及びケーブル３３の発生した熱は、光源部２３に伝達され難い。その結果、光源部２３の温度上昇を抑制できる。
【００８５】
以上、図面（図１〜図７）を参照しながら本発明の実施形態について説明した。但し、本発明は、上記の実施形態に限られるものではなく、その要旨を逸脱しない範囲で種々の態様において実施することが可能である（例えば、下記に示す（１）〜（３））。図面は、理解しやすくするために、それぞれの構成要素を主体に模式的に示しており、図示された各構成要素の厚み、長さ、個数等は、図面作成の都合上から実際とは異なる場合もある。また、上記の実施形態で示す各構成要素の形状、寸法等は一例であって、特に限定されるものではなく、本発明の効果から実質的に逸脱しない範囲で種々の変更が可能である。
【００８６】
（１）拡散部材７、光源部２３、及び光源保持部材２４は、２セット設けられたが、１セット設けられてもよいし、３セット以上の複数セット設けられてもよい。拡散部材７及び／又は第２反射部材９は設けなくてもよい。
【００８７】
（２）被取付部材１０は中心線ＣＬ上に配置されたが、被取付部材１０の配置は限定されない。被取付部材１０は、１つ設けられたが、複数設けられてもよい。例えば、光源部２３及び光源保持部材２４のセット数に応じて、被取付部材１０の配置及び数が適宜変更され得る。第１反射部材５の反射部５ａの断面形状は、略Ｖ字形状に限定されず、例えば、略Ｕ字形状（Ｕ字形状を含む。）、略コ字形状（コ字形状を含む。）、又は平面形状であってもよい。
【００８８】
（３）４個の支持部材２７を設けたが、支持部材２７の数は４個に限定されない。被取付部材１０の側壁部１５ｂに１個以上の支持部材２７が装着され、側壁部１５ｃに１個以上の支持部材２７が装着されればよい。
【産業上の利用可能性】
【００８９】
本発明は、建造物に取り付けられる照明器具の分野に利用可能である。
【符号の説明】
【００９０】
１    照明器具
５    第１反射部材
７    拡散部材
９    第２反射部材
１０    被取付部材
１１    第１補強部材
１３    第２補強部材
１５    溝部
１５ａ    被取付部
１５ｂ    側壁部
１５ｃ    側壁部
１５ｄ    縁部
２２Ａ    主面
２２Ｂ    反対面
２３    光源部
２３ａ    発光素子
２３ｂ    基板
２４    光源保持部材
２７    支持部材
４１    電源部
４１ａ    ケース
４１ｂ    電源回路
４１ｃ    基板
４５    取付部材
５９    ミシン目
【図１】
0006372658.tif 000002
【図２】
0006372658.tif 000003
【図３】
0006372658.tif 000004
【図４】
0006372658.tif 000005
【図５】
0006372658.tif 000006
【図６】
0006372658.tif 000007
【図７】
0006372658.tif 000008